(57)【特許請求の範囲】
【請求項１】
前端を開口する戸袋を内部に形成する戸袋パネルと、該戸袋パネルに出入自在に組み合わせる移動パネルとを備えてなり、前記戸袋パネルは、居室の壁面を利用して床面に立設し、前記移動パネルの戸尻側上部に連結するスライダ付きのスライドレールを上部に配置するとともに、前記移動パネルの戸尻側下部の戸車を前後にガイドするガイドレールを下部に配置し、前記移動パネルは、床面を転動するキャスタを戸先側下部に付設するとともに、戸先側の側端面下部にストッパを付設することを特徴とする間仕切装置。
【請求項２】
前端を開口する戸袋を内部に形成する戸袋パネルと、該戸袋パネルに出入自在に組み合わせる移動パネルとを備えてなり、前記戸袋パネルは、居室の壁面を利用して床面に立設し、前記移動パネルの戸尻側上部に連結するスライダ付きのスライドレールを上部に配置し、前記移動パネルの戸尻側下部の戸車を前後にガイドするガイドレールを下部に配置するとともに、２本の連結ロッドを介して上端前部を居室の天井にＶ字状に連結して振れ止めし、前記移動パネルは、床面を転動するキャスタを戸先側下部に付設することを特徴とする間仕切装置。
【請求項３】
前端を開口する戸袋を内部に形成する戸袋パネルと、該戸袋パネルに出入自在に組み合わせる移動パネルとを備えてなり、前記戸袋パネルは、居室の壁面を利用して床面に立設し、前記移動パネルの戸尻側上部に連結するスライダ付きのスライドレールを上部に配置し、前記移動パネルの戸尻側下部の戸車を前後にガイドするガイドレールを下部に配置するとともに、２本の連結ロッドを介して上端前部を居室の天井にＶ字状に連結して振れ止めし、前記移動パネルは、床面を転動するキャスタを戸先側下部に付設するとともに、戸先側の側端面下部にストッパを付設することを特徴とする間仕切装置。
【発明の詳細な説明】
【技術分野】
【０００１】
この発明は、病院の大部屋形式の病室や、高齢者用の福祉施設の複数の入居者用の居室など（以下、単に居室という）において、室内空間を開閉自在に仕切ることができる間仕切装置に関する。
【背景技術】
【０００２】
多床室の居室内において、左右に隣接するベッドの間を開閉自在に仕切ることができる間仕切装置が提案されている（特許文献１）。
【０００３】
従来の間仕切装置は、左右一対の収納家具と、これらの収納家具の間に設ける間仕切パネルとを組み合わせて構成されている。収納家具は、左右のベッド上の入居者が使用可能であり、間仕切パネルは、左右の収納家具によって支持する戸袋からベッドの間に引き出し、ベッドの間を開閉することができる。なお、間仕切パネルは、上部の吊車と下部のスライダとを有する引戸形式であって、上部の吊車は、上のガイドレールに沿って前後に走行し、下部のスライダは、床面の敷居上のスライドレールを介して前後にガイドされるようになっている。
【先行技術文献】
【特許文献】
【０００４】
【特許文献１】特開平１１−２１６０３２号公報
【発明の概要】
【発明が解決しようとする課題】
【０００５】
かかる従来技術によるときは、間仕切パネルは、左右の収納家具によって支持されている上、床面に敷居やスライドレールを設けるので、室内空間の利用効率がよくないという問題があった。
【０００６】
そこで、この発明の目的は、かかる従来技術の問題に鑑み、戸袋パネルと移動パネルとを組み合わせることによって、室内空間の利用効率を損うおそれがない間仕切パネルを提供することにある。
【課題を解決するための手段】
【０００７】
かかる目的を達成するための請求項１の発明の構成は、前端を開口する戸袋を内部に形成する戸袋パネルと、戸袋パネルに出入自在に組み合わせる移動パネルとを備えてなり、戸袋パネルは、居室の壁面を利用して床面に立設し、移動パネルの戸尻側上部に連結するスライダ付きのスライドレールを上部に配置するとともに、移動パネルの戸尻側下部の戸車を前後にガイドするガイドレールを下部に配置し、移動パネルは、床面を転動するキャスタを戸先側下部に付設するとともに、戸先側の側端面下部にストッパを付設することをその要旨とする。
【０００８】
請求項２の発明の構成は、前端を開口する戸袋を内部に形成する戸袋パネルと、戸袋パネルに出入自在に組み合わせる移動パネルとを備えてなり、戸袋パネルは、居室の壁面を利用して床面に立設し、移動パネルの戸尻側上部に連結するスライダ付きのスライドレールを上部に配置し、移動パネルの戸尻側下部の戸車を前後にガイドするガイドレールを下部に配置するとともに、２本の連結ロッドを介して上端前部を居室の天井にＶ字状に連結して振れ止めし、移動パネルは、床面を転動するキャスタを戸先側下部に付設することをその要旨とする。また、請求項３の発明の構成は、前端を開口する戸袋を内部に形成する戸袋パネルと、戸袋パネルに出入自在に組み合わせる移動パネルとを備えてなり、戸袋パネルは、居室の壁面を利用して床面に立設し、移動パネルの戸尻側上部に連結するスライダ付きのスライドレールを上部に配置し、移動パネルの戸尻側下部の戸車を前後にガイドするガイドレールを下部に配置するとともに、２本の連結ロッドを介して上端前部を居室の天井にＶ字状に連結して振れ止めし、移動パネルは、床面を転動するキャスタを戸先側下部に付設するとともに、戸先側の側端面下部にストッパを付設することをその要旨とする。
【発明の効果】
【０００９】
かかる発明の構成によるときは、戸袋パネルは、居室の壁面を利用して居室の床面上に立設されている。また、移動パネルは、戸袋パネルに出入自在に組み合わされ、戸袋パネルの戸袋内に収納し、戸袋パネルの前方に引き出すことにより、居室の内部空間を開閉自在に仕切ることができる。移動パネルは、戸袋パネルの上部のスライドレール、下部のガイドレールによってそれぞれガイドされる戸尻側上部に連結するスライダ、戸尻側下部に設ける戸車を有するからである。なお、戸袋パネルは、移動パネルを収納する戸袋を内部に形成するだけであり、十分薄形に形成されている上、床面上に敷居やガイドレールを設ける必要がないため、室内空間の利用効率を損うおそれがない。また、移動パネルは、戸先側下部のキャスタを介し、戸袋パネルから引き出したときの重量を床面上に安定に支持することができる。
【００１０】
移動パネルは、戸先側のストッパにより、任意の引出し位置に固定することができる。また、戸袋パネルは、２本の連結ロッドを介して上端前部を居室の天井にＶ字状に連結することにより、有効に振れ止めして床面上に安定に立設することができる。
【図面の簡単な説明】
【００１１】
【図１】全体構成斜視図
【図２】拡大縦断面図
【図３】拡大横断面図
【図４】要部拡大正面模式図
【図５】使用状態を示す斜視説明図
【発明を実施するための形態】
【００１２】
以下、図面を以って発明の実施の形態を説明する。
【００１３】
間仕切装置は、戸袋パネル１０と、移動パネル２０とを備えてなる（図１）。なお、戸袋パネル１０は、図示しない居室の壁面Ｗを利用して床面Ｆに立設され、移動パネル２０は、戸袋パネル１０に出入自在に組み合わされている。
【００１４】
戸袋パネル１０は、左右の側面パネル１１、１１を有し（図２、図３）、側面パネル１１、１１の間には、前端を開口し、移動パネル２０を収納する戸袋Ｓが形成されている。各側面パネル１１は、ペーパハニカムの芯材の両面に表面材を貼って構成され、各側面パネル１１の前端、後端には、それぞれ補強材１１ａが縦方向に装着されている。
【００１５】
側面パネル１１、１１の下端は、移動パネル２０用のガイドレール１４を介して連結されている。側面パネル１１、１１の上端は、移動パネル２０用のスライドレール１５の支持材１５ａと、下向きチャンネル状のキャップ材１５ｂとを介して連結されている。なお、スライドレール１５には、リテーナ１５ｃ、複数のボール１５ｄ、１５ｄ…を介してスライダ１５ｅが組み込まれており、スライドレール１５は、戸袋パネル１０の上部に配置され、戸袋パネル１０の前端から前向きに突出している（図１、図４）。側面パネル１１、１１の後端は、連結板１２を介して連結され（図３）、連結板１２の前面側には、移動パネル２０の戸尻側を突き当てる戸当り材１３が付設されている。
【００１６】
戸袋パネル１０の下端のガイドレール１４は、床面Ｆ上の床レール３１、巾木３２を介して支持されている（図１、図２）。床レール３１は、アンカボルト３１ａを介して床面Ｆに固定され、巾木３２は、床レール３１内のアジャスタ３３の調節ボルト３３ａを介して高さ調節可能に支持されている。ただし、アジャスタ３３は、床レール３１、巾木３２の両端部に各１個が配置されているものとする。巾木３２の上面中央には、ガイドレール１４の下面中央の溝１４ｂに嵌合する位置決め材３２ａが巾木３２の全長に亘って付設されている。
【００１７】
戸袋パネル１０の後端は、壁面Ｗ上の壁レール３４に嵌め込んで拘束し、倒れ止めされている（図１、図３）。壁レール３４は、アンカボルト３４ａを介して壁面Ｗに固定され、壁レール３４の上端は、戸袋パネル１０のキャップ材１５ｂに適合するキャップブラケット３５を介し、戸袋パネル１０の後端上部とともに壁面Ｗに固定されている（図１、図２）。
【００１８】
巾木３２上の位置決め材３２ａは、ガイドレール１４とともに、戸袋パネル１０の前方に突出している（図４）。そこで、戸袋パネル１０は、ガイドレール１４の下面の溝１４ｂに位置決め材３２ａを嵌合させ、鉛直に維持しながら巾木３２上を後方に向けてスライドさせ、後端を壁レール３４に挿入して、戸袋パネル１０の前端に突出するガイドレール１４、位置決め材３２ａを水平方向にねじ止めし、壁面Ｗ上にキャップブラケット３５を固定することにより、巾木３２上に安定に立設することができる。なお、図４において、符号１１ｂは、各側面パネル１１の前端下部の角部に装着する保護カバーである。
【００１９】
戸袋パネル１０の上端前部は、２本の連結ロッド３８、３８を介し、図示しない居室の天井にＶ字状に連結して振れ止めされている（図１）。各連結ロッド３８の基部は、戸袋パネル１０側のブラケット３８ａに連結されており、各連結ロッド３８の先端には、天井面に付設する図示しない固定具に連結するためにフォーク状の連結ブラケット３８ｂが付属されている。なお、各連結ロッド３８は、テレスコープ式に伸縮可能であり、連結ブラケット３８ｂは、連結ロッド３８の軸まわりに回転可能である。
【００２０】
移動パネル２０は、パネル本体２１の上部に嵌め殺しの不透明なガラス窓２１ａを設け、戸先側の両面にそれぞれ引手２１ｂを設けて構成されている。パネル本体２１は、ペーパハニカムの芯材の両面に表面材を貼って構成され、パネル本体２１の上端には、補強材２１ｃに対してキャップ材２２が装着されている（図２）。移動パネル２０の戸尻側上部は、キャップ材２２上のスペーサ２２ａを介してスライドレール１５のスライダ１５ｅに連結されている（図２、図４）。
【００２１】
パネル本体２１の下端には、下向きチャンネル状の補強材２３が装着され、移動パネル２０の戸尻側下部、戸先側下部には、それぞれ戸車２４、キャスタ２５が付設されている。戸車２４は、ブラケット２４ａを介して補強材２３内に組み付けられており、ガイドレール１４にガイドされて前後に走行することができる。なお、ガイドレール１４には、戸車２４の外れ止め１４ａが全長に亘って形成され、戸袋パネル１０の前方に突出するガイドレール１４の前端は、蓋板１４ｃを介して閉じられている。キャスタ２５は、ブラケット２５ａ、補助ブラケット２５ｂを介して補強材２３内に下向きに取り付けられており、床面Ｆ上を転動することができる。キャスタ２５は、ダブルタイヤ形であり、調節ねじ２５ｃを介して高さ調節可能である。ただし、キャスタ２５は、補助ブラケット２５ｂを介し、方向転回不能に拘束されている。
【００２２】
移動パネル２０の戸先側の側端面には、縁材２１ｄを介してエッジ材２６が取り付けられている（図１、図３）。また、移動パネル２０の戸先側の側端面下部には、ストッパ２７が装着されている（図１、図４）。ストッパ２７は、たとえばペダルロック式のドアストッパであり、下向きの着地部２７ａを床面Ｆに着地させることにより、移動パネル２０を任意の引出し位置に固定することができる。移動パネル２０の戸尻側の側端面には、補強材２１ｅを介して戸当り用のクッション材２８が付設されている（図３）。ただし、クッション材２８は、移動パネル２０の上部、下部に各１個が付設されている。
【００２３】
移動パネル２０は、戸袋パネル１０から前向きに引き出し、その殆ど全幅を外部に露出させることができる（図１、図３の実線）。なお、移動パネル２０の引出し限は、戸袋パネル１０の上部の前端部、移動パネル２０の戸尻側の上端面にそれぞれ装着するストッパ金具１７ａ、１７ｂを当接させることにより規定されている（図４）。戸袋パネル１０側のストッパ金具１７ａは、スライドレール１５用の支持材１５ａの上面に固定し、支持材１５ａに形成する図示しない長孔を介してスライドレール１５の左右に脚部を垂下させる短いチャンネル状の部材であって、移動パネル２０側の平板状のストッパ金具１７ｂと干渉することにより移動パネル２０の前進を阻止することができる。また、移動パネル２０は、戸袋パネル１０内の戸袋Ｓに収納し、戸尻側のクッション材２８を戸当り材１３に当接させることができる（図３の二点鎖線）。なお、このときの移動パネル２０は、戸先側の引手２１ｂ、２１ｂの部分と、ガラス窓２１ａの引手２１ｂ側の一部とを除くほぼ全幅が戸袋パネル１０に収納されるものとする。
【００２４】
かかる間仕切装置は、多床室の居室において、壁面Ｗを利用して、左右に隣接するベッドＢ、Ｂの間の床面Ｆ上に設置することにより、ベッドＢ、Ｂの間を開閉自在に仕切ることができる（図５の実線、二点鎖線）。なお、移動パネル２０は、ベッドＢ、Ｂの足元側を越える位置にまで引出し可能であることが好ましい。移動パネル２０は、戸先側のストッパ２７を介して任意の引出し位置に固定可能であり、戸袋パネル１０内にほぼ全幅を収納することにより床面Ｆをバリアフリーに解放し、ベッドＢ、Ｂの入替え作業などの所要スペースを簡単に確保することができる。
【００２５】
以上の説明において、戸袋パネル１０の後端は、壁面Ｗ上の壁レール３４に挿入して倒れ止めされているが、これに代えて、適当な連結ブラケットを介して壁面Ｗに連絡してもよい。また、このとき、壁レール３４を使用してもよく、使用しなくてもよい。
【産業上の利用可能性】
【００２６】
この発明は、多床室の居室に限らず、家庭内の居間や子供部屋などの他、事務所や工場などの室内空間を仕切る用途に対しても、広く一般的に使用することができる。
【符号の説明】
【００２７】
Ｓ…戸袋
Ｗ…壁面
Ｆ…床面
１０…戸袋パネル
１４…ガイドレール
１５…スライドレール
１５ｅ…スライダ
２０…移動パネル
２４…戸車
２５…キャスタ
２７…ストッパ
３８…連結ロッド
特許出願人          小松ウオール工業株式会社
代理人  弁理士                松  田  忠  秋
【図１】
0005588655.tif 000002
【図２】
0005588655.tif 000003
【図３】
0005588655.tif 000004
【図４】
0005588655.tif 000005
【図５】
0005588655.tif 000006